(57)【要約】【課題】首部、袖口、胴体部の裾部、ズボンの胴回部、および、ズボンの足首周り部等における機能性を維持しつつ、意匠性(ファッション性）の向上を図ることを可能とする構造を備える衣服を提供する。【解決手段】袖口３は、円周方向に沿って第１端部領域３ａおよび第２端部領域３ｂを含んでいる。また、第１端部領域３ａは、袖２と同じ生地からなる同じ格子柄の意匠が施されている。また、第２端部領域３ｂは、第１端部領域３ａよりも伸縮性に富んだ生地が用いられている。その結果、袖口３の伸縮性機能を確保しつつ、第１端部領域３ａに自由な意匠（形状、模様、色彩等）を施すことができ、袖口３の意匠性(ファッション性)を向上させることが可能となる。【選択図】図３
2007254930.tif 000002
【特許請求の範囲】
【請求項１】
身体に着用するための衣服であって、
当該衣服は身体を通過させるための筒状領域を備え、
前記筒状領域は、その端部に連続して設けられ、所定の幅領域からなる筒状端部領域を有し、
前記筒状端部領域は、円周方向に沿って第１端部領域および第２端部領域を含み、
前記第２端部領域は、前記第１端部領域よりも伸縮性に富んでいる、衣服。
【請求項２】
前記筒状領域および前記第１端部領域とには、同じ意匠が施され、
前記第２端部領域には、前記筒状領域および前記第１端部領域とは異なる意匠が施される、請求項１に記載の衣服。
【請求項３】
前記筒状領域および前記第１端部領域とには、同じ生地が用いられ、
前記第２端部領域には、前記筒状領域および前記第１端部領域とは異なる生地が用いられる、請求項１または２に記載の衣服。
【請求項４】
前記衣服は上衣であり、
前記筒状領域は、胴部であり、
前記筒状端部領域は、首部である、請求項１から３のいずれかに記載の衣服。
【請求項５】
前記衣服は上衣であり、
前記筒状領域は、袖部であり、
前記筒状端部領域は、袖口である、請求項１から３のいずれかに記載の衣服。
【請求項６】
前記衣服は上衣であり、
前記筒状領域は、胴部であり、
前記筒状端部領域は、裾部である、請求項１から３のいずれかに記載の衣服。
【請求項７】
前記衣服はズボンであり、
前記筒状領域は、脚部袋部であり、
前記筒状端部領域は、腰周部である、請求項１から３のいずれかに記載の衣服。
【請求項８】
前記衣服はズボンであり、
前記筒状領域は、脚部袋部であり、
前記筒状端部領域は、足首周り部である、請求項１から３のいずれかに記載の衣服。
【発明の詳細な説明】
【技術分野】
【０００１】
この発明は衣服に関し、機能性および意匠性に優れた構造を備える衣服に関する。
【背景技術】
【０００２】
衣服は、ジャケット、コート、ズボン等、身体のおもな部分をまとい覆うものの総称であるが、たとえば、ジョギング、ゴルフ等のスポーツを行なうときに着用するスポーツ用シャツを例にとれば、その基本的構造としては、胴体部を通過させる筒形状からなる胴部と、腕を通過させる筒形状からなる袖とを備えている。
【０００３】
通常、スポーツ用シャツなどにおいては、一般的に胴部と袖部とは同じ生地から構成されることが多い。また、袖部を着用者に対してフィットさせるとともに、容易に脱ぎ着するために、袖口には、袖部とは異なる生地を用い、具体的には、伸縮性の有る生地を円筒形状の全周設けることが行なわれる。
【０００４】
ここで、スポーツ用シャツなどにおいては、その意匠性、つまりファッション性を高めることが他の製品との差別化を図る上では非常に重要である。たとえば、スポーツ用シャツの上からジャケットを着用した場合には、衿回りおよび袖口が、ジャケットから露出することとなるため、袖口の意匠は、他の製品との差別化を図る上で非常に重要な要素であることが理解できる。
【０００５】
しかしながら、従前から、袖口には伸縮性のある生地を使うことが慣用となっており、一般的には、全周にわたって、伸縮性の有る生地が用いられている。また、胴体部の首部および裾部、ズボンの胴回部、および、ズボンの足首周り部においても、同様のことが言える。
【０００６】
以上、本願に係る発明についての背景の技術を、出願人の知得した一般的技術情報に基づいて説明したが、出願人の記憶する範囲において、本願の出願前までに先行技術文献情報として開示すべき情報を出願人は有しておらず、かつ、本願に先行する出願人自身の特許出願等についても認識していない。
【発明の開示】
【発明が解決しようとする課題】
【０００７】
この発明が解決しようとする課題は、衣服において、首部、袖口、胴体部の裾部、ズボンの胴回部、および、ズボンの足首周り部等においては、機能性が優先し、意匠性(ファッション性）が軽視されている点にある。したがって、本願発明は、首部、袖口、胴体部の裾部、ズボンの胴回部、および、ズボンの足首周り部等における機能性を維持しつつ、意匠性(ファッション性）の向上を図ることを可能とする構造を備える衣服を提供することにある。
【課題を解決するための手段】
【０００８】
この発明に基づいた衣服においては、身体に着用するための衣服であって、この衣服は身体を通過させるための筒状領域を備え、この筒状領域は、その端部に連続して設けられ、所定の幅領域からなる筒状端部領域を有し、筒状端部領域は、円周方向に沿って第１端部領域および第２端部領域を含み、第２端部領域は、第１端部領域よりも伸縮性に富んでいる。
【発明の効果】
【０００９】
この発明に基づいた衣服によれば、筒状端部領域の構成として、円周方向に沿って第１端部領域および第２端部領域を含み、第２端部領域は、第１端部領域よりも伸縮性に富んでいる構成を採用することで、第２端部領域により、筒状端部領域の伸縮性機能を確保しつつ、第１端部領域に自由な意匠（形状、模様、色彩等）を施すことができ、筒状端部領域の意匠性(ファッション性）を向上させることが可能となる。その結果、他の製品との差別化を図る上で優位な位置に立つことが可能となる。
【発明を実施するための最良の形態】
【００１０】
以下、この発明に基づいた各実施の形態について図を参照しながら説明する。以下に説明する実施の形態においては、本願発明の衣服への適用対象として、スポーツ用シャツ、セータ、および、トレーニングパンツ（スポーツ用ズボン）を例にして説明しているが、同様の構成からなる衣服であれば、他の様々な衣服に対して、本願発明を適用することが可能である。
【００１１】
（実施の形態１）
以下、本願発明を適用した実施の形態１におけるスポーツ用シャツについて、図１〜図３を参照して説明する。なお、図１は、本実施の形態におけるスポーツ用シャツを着用した状態を示す正面図であり、図２は、着用した状態において右腕を上方に上げた状態を示す正面図であり、図３は、袖口の構造を示す部分拡大図である。
【００１２】
本実施の形態におけるスポーツ用シャツ１は、身体に着用するための上衣であり、身体である腕を通過させるための筒状領域としての袖２と、胴体を通過させるための筒状領域としての胴部５とを備えている。また、袖２の袖つけとは反対側に、袖２の端部に連続して設けられ、所定の幅（Ｗ）領域からなる筒状端部領域としての袖口３が設けられている。袖口３の円周方向の長さは、袖２の円周方向の長さよりも小さくなるように設けられている。
【００１３】
この袖口３は、図３に図示されるように、円筒形状からなり、円周方向に沿って第１端部領域３ａおよび第２端部領域３ｂを含んでいる。また、第１端部領域３ａは、袖２と同じ生地からなる同じ格子柄の意匠が施されている。また、第２端部領域３ｂは、第１端部領域３ａよりも伸縮性に富んだ生地が用いられている。なお、第１端部領域３ａの伸長率は０〜５０％程度、第２端部領域３ｂの伸長率は２０〜２５０％程度が望ましい。
【００１４】
第１端部領域３ａは、袖口３の意匠性を向上させる観点から設けられているが、図１〜図３においては、第１端部領域３ａは、腕首の外側に位置するように設けられ、第２端部領域３ｂは、腕首の内側に位置するように設けられている。この場合に、第２端部領域３ｂの伸縮機能を維持させながら、外部から目立たないようにするには、袖口３の円周長さを１とした場合、第２端部領域３ｂの円周方向長さは、０．１〜０．５程度が好ましいと言える。
【００１５】
一方、第１端部領域３ａを、腕首の内側に位置するように設け、第２端部領域３ｂを、腕首の外側に位置するように設けることも可能である。また、第１端部領域３ａおよび第２端部領域３ｂそれぞれ複数設け、交互に配置させることも可能である。
【００１６】
本実施の形態によれば、第２端部領域３ｂにより、袖口３の伸縮性機能を確保しつつ、第１端部領域３ａに自由な意匠（形状、模様、色彩等）を施すことができ、袖口３の意匠性(ファッション性)を向上させることが可能となる。その結果、他の製品との差別化を図る上で優位な位置に立つことが可能となる。
【００１７】
（実施の形態２）
次に、本願発明を適用した実施の形態２におけるセータについて、図４を参照して説明する。なお、図４は、本実施の形態におけるセータの形態を示す正面図である。
【００１８】
本実施の形態におけるセータ１０は、用途・機能においては、上記スポーツ用シャツ１とは基本的に異なるものではあるが、身体に着用するための上衣という点では共通しており、身体である腕を通過させるための筒状領域としての袖１２と、胴体を通過させるための筒状領域としての胴部１５とを備えている。また、袖１２の袖つけとは反対側に、袖１２の端部に連続して設けられ、所定の幅領域からなる筒状端部領域としての袖口１３が設けられている。袖口１３の円周方向の長さは、袖１２の円周方向の長さよりも小さくなるように設けられている。
【００１９】
この袖口１３は、円筒形状からなり、円周方向に沿って第１端部領域１３ａおよび第２端部領域１３ｂを含んでいる。また、第１端部領域１３ａは、袖１２と同じ生地からなる同じ柄の意匠が施されている。また、第２端部領域１３ｂは、第１端部領域１３ａよりも伸縮性に富んだ生地が用いられている。なお、第１端部領域１３ａの伸長率は０〜５０％程度、第２端部領域１３ｂの伸長率は２０〜２５０％程度が望ましい。
【００２０】
このセータ１０においても、上記実施の形態１におけるスポーツ用シャツと同様に、第１端部領域１３ａは、袖口１３の意匠性を向上させる観点から設けられているが、図４においては、第１端部領域１３ａは、腕首の外側に位置するように設けられ、第２端部領域１３ｂは、腕首の内側に位置するように設けられている。この場合に、第２端部領域１３ｂの伸縮機能を維持させながら、外部から目立たないようにするには、袖口１３の円周長さを１とした場合、第２端部領域１３ｂの円周方向長さは、０．１〜０．５程度が好ましいと言える。
【００２１】
一方、第１端部領域１３ａを、腕首の内側に位置するように設け、第２端部領域１３ｂを、腕首の外側に位置するように設けることも可能である。また、第１端部領域１３ａおよび第２端部領域１３ｂそれぞれ複数設け、交互に配置させることも可能である。
【００２２】
また、本実施の形態におけるセータ１０においては、胴部１５において筒状端部領域としての裾部１６にも、袖口１３と同様の構成を採用している。具体的には、裾部１６も胴部１５の端部において連続して設けられる円筒形状からなり、円周方向に沿って第１端部領域１６ａおよび第２端部領域１６ｂを含んでいる。裾部１６の円周方向の長さは、胴部１５の円周方向の長さよりも小さくなるように設けられている。また、第１端部領域１６ａは、胴部１５と同じ生地からなる同じ柄の意匠が施されている。また、第２端部領域１６ｂは、第１端部領域１６ａよりも伸縮性に富んだ生地が用いられている。なお、第１端部領域１６ａの伸長率は０〜５０％程度、第２端部領域１６ｂの伸長率は２０〜２５０％程度が望ましい。
【００２３】
この裾部１６も、袖口１３と同様に、第１端部領域１６ａは、裾部１６の意匠性を向上させる観点から設けられているが、図４においては、第２端部領域１６ｂは、胴体の側部から背面に位置するように設けられている（図５（ａ）参照）。この場合に、第２端部領域１６ｂの伸縮機能を維持させながら、外部から目立たないようにするには、裾部１６の円周長さを１とした場合、第２端部領域１６ｂの円周方向長さは、０．１〜０．７程度が好ましいと言える。
【００２４】
一方、第１端部領域１６ａを、図５（ｂ）に示すように、前面と背面とに、第１端部領域１６ａを設け、両側面に第２端部領域１６ｂが位置するように設けることも可能である。また、第１端部領域１６ａおよび第２端部領域１６ｂそれぞれ複数設け、交互に配置させることも可能である。
【００２５】
さらに、再び、図４を参照して、本実施の形態におけるセータ１０においては、胴部１５において筒状端部領域としての首部１７にも、袖口１３および裾部１６と同様の構成を採用している。具体的には、この首部１７も胴部１５の端部において連続して設けられる円筒形状からなり、円周方向に沿って第１端部領域１７ａおよび第２端部領域１７ｂを含んでいる。また、第１端部領域１７ａは、胴部１５と同じ生地からなる同じ柄の意匠が施されている。また、第２端部領域１７ｂは、第１端部領域１７ａよりも伸縮性に富んだ生地が用いられている。なお、第１端部領域１７ａの伸長率は０〜５０％程度、第２端部領域１７ｂの伸長率は２０〜２５０％程度が望ましい。
【００２６】
この首部１７も、袖口１３および裾部１６と同様に、第１端部領域１７ａは、首部１７の意匠性を向上させる観点から設けられているが、図４においては、第２端部領域１７ｂは、首部の側部から背面に位置するように設けられている。この場合に、第２端部領域１７ｂの伸縮機能を維持させながら、外部から目立たないようにするには、首部１７の円周長さを１とした場合、第２端部領域１７ｂの円周方向長さは、０．１〜０．８程度が好ましいと言える。
【００２７】
一方、第１端部領域１７ａを、背面側に位置するように設け、第２端部領域１７ｂを、前面側に位置するように設けることも可能である。また、第１端部領域１７ａおよび第２端部領域１７ｂをそれぞれ複数設け、交互に配置させることも可能である。
【００２８】
本実施の形態によれば、第２端部領域１３ｂ，１６ｂ，１７ｂにより、袖口１３，裾部１６および首部１７の伸縮性機能を確保しつつ、第１端部領域１３ａ，１６ａ，１７ａに自由な意匠（形状、模様、色彩等）を施すことができ、袖口１３，裾部１６および首部１７の意匠性(ファッション性)を向上させることが可能となる。その結果、他の製品との差別化を図る上で優位な位置に立つことが可能となる。
【００２９】
（実施の形態３）
次に、本願発明を適用した実施の形態３におけるトレーニングパンツについて、図６を参照して説明する。なお、図６は、本実施の形態におけるトレーニングパンツの形態を示す正面図である。
【００３０】
本実施の形態におけるトレーニングパンツ２０は、身体に着用するためのズボンであり、身体である脚を通過させるための筒状領域としての一対の脚部袋部２１を備えている。また、脚部袋部２１の上端部には、脚部袋部２１に連続して設けられ、所定の幅領域からなる筒状端部領域としての腰周部２５が設けられている。
【００３１】
この腰周部２５は、円筒形状からなり、円周方向に沿って第１端部領域２５ａおよび第２端部領域２５ｂを含んでいる。また、第１端部領域２５ａは、脚部袋部２１と同じ生地からなる同じ柄の意匠が施されている。また、第２端部領域２５ｂは、第１端部領域２５ａよりも伸縮性に富んだ生地が用いられている。なお、第１端部領域２５ａの伸長率は０〜５０％程度、第２端部領域２５ｂの伸長率は２０〜２５０％程度が望ましい。
【００３２】
このトレーニングパンツ２０においても、上記実施の形態１におけるスポーツ用シャツや、実施の形態２におけるセータと同様に、第１端部領域２５ａは、腰周部２５の意匠性を向上させる観点から設けられているが、図６においては、第２端部領域２５ｂは、腰部側面から背面に位置するように設けられている（図５（ａ）と同様の形態）。この場合に、第２端部領域２５ｂの伸縮機能を維持させながら、外部から目立たないようにするには、腰周部２５の円周長さを１とした場合、第２端部領域２５ｂの円周方向長さは、０．１〜０．８程度が好ましいと言える。
【００３３】
一方、第１端部領域２５ａを、上記セータにおいて採用した図５（ｂ）の形態と同様に、前面と背面とに、第１端部領域２５ａを設け、両側面に第２端部領域２５ｂが位置するように設けることも可能である。また、第１端部領域２５ａおよび第２端部領域２５ｂそれぞれ複数設け、交互に配置させることも可能である。
【００３４】
また、本実施の形態におけるトレーニングパンツ２０においては、脚部袋部２１において筒状端部領域としての足首周り部２２にも、腰周部２５と同様の構成を採用している。具体的には、足首周り部２２も脚部袋部２１の端部において連続して設けられる円筒形状からなり、円周方向に沿って第１端部領域２２ａおよび第２端部領域２２ｂを含んでいる。足首周り部２２の円周方向の長さは、脚部袋部２１の円周方向の長さよりも小さくなるように設けられている。また、第１端部領域２２ａは、脚部袋部２１と同じ生地からなる同じ柄の意匠が施されている。また、第２端部領域２２ｂは、第１端部領域２２ａよりも伸縮性に富んだ生地が用いられている。なお、第１端部領域２２ａの伸長率は０〜５０％程度、第２端部領域２２ｂの伸長率は２０〜２５０％程度が望ましい。
【００３５】
この足首周り部２２も、腰周部２５と同様に、第１端部領域２２ａは、足首周り部２２の意匠性を向上させる観点から設けられているが、図６においては、第１端部領域２２ａは、足首の外側に位置するように設けられ、第２端部領域２２ｂは、足首の内側に位置するように設けられている。この場合に、第２端部領域２２ｂの伸縮機能を維持させながら、外部から目立たないようにするには、足首周り部２２の円周長さを１とした場合、第２端部領域２２ｂの円周方向長さは、０．１〜０．５程度が好ましいと言える。
【００３６】
一方、第１端部領域２２ａを、腕首の内側に位置するように設け、第２端部領域２２ｂを、腕首の外側に位置するように設けることも可能である。また、第１端部領域２２ａおよび第２端部領域２２ｂをそれぞれ複数設け、交互に配置させることも可能である。
【００３７】
本実施の形態によれば、第２端部領域２２ｂ，２５ｂにより、足首周り部２２および腰周部２５の伸縮性機能を確保しつつ、第１端部領域２２ａ，２５ａに自由な意匠（形状、模様、色彩等）を施すことができ、足首周り部２２および腰周部２５の意匠性(ファッション性)を向上させることが可能となる。その結果、他の製品との差別化を図る上で優位な位置に立つことが可能となる。
【００３８】
また、上記各実施の形態においては、筒状端部領域の第１端部領域（袖口３、袖口１３、裾部１６、首部１７、腰周部２５、足首周り部２２）に、筒状領域と同様の意匠を施す場合について説明しているが、異なる模様を施し、第２端部領域に、第１端部領域よりも伸縮性に富む構成のみを採用することも可能である。
【００３９】
以上、今回開示した上記各実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４０】
【図１】この発明に基づいた実施の形態１におけるスポーツ用シャツを着用した状態を示す正面図である。
【図２】この発明に基づいた実施の形態１におけるスポーツ用シャツを着用した状態において、右腕を上方に上げた状態を示す正面図である。
【図３】この発明に基づいた実施の形態１におけるスポーツ用シャツの袖口の構造を示す部分拡大図である。
【図４】この発明に基づいた実施の形態２におけるセータの形態を示す正面図である。
【図５】（ａ）、（ｂ）は、この発明に基づいた実施の形態２におけるセータの裾部の他の形態を示す、裾部取り出し図である。
【図６】この発明に基づいた実施の形態３におけるトレーニングパンツの形態を示す正面図である。
【符号の説明】
【００４１】
１  スポーツ用シャツ、２，１２  袖、３，１３  袖口、３ａ，１３ａ，１６ａ，１７ａ，２２ａ，２５ａ  第１端部領域、３ｂ，１３ｂ，１６ｂ，１７ｂ，２２ｂ，２５ｂ  第２端部領域、５，１５  胴部、１０  セータ、１６  裾部、１７  首部、２０  トレーニングパンツ、２１  脚部袋部、２２  足首周り部、２５  腰周部。
【図１】
2007254930.tif 000003
【図２】
2007254930.tif 000004
【図３】
2007254930.tif 000005
【図４】
2007254930.tif 000006
【図５】
2007254930.tif 000007
【図６】
2007254930.tif 000008